(57)【特許請求の範囲】
【請求項１】
圧力鍋の蓋部に形成される排気口に取り付けられるノズルと、このノズルの上端に形成される弁座部を開閉するニードル弁と、前記弁座部に前記ニードル弁を常時閉塞する重量を有すると共に、鉛直軸に対して回転可能なおもりとを具備する圧力鍋の圧力調整装置において、
前記おもりは、前記ノズルの上方部及びこの上方部に連なる外側部を包囲するケースと、前記ケースにて形成される蒸気排出通路内に配設され、蒸気排出通路を連通する連通口を有するおもりコアと、前記蒸気排出通路の上方側開口を閉塞すると共に、側方に蒸気排出口を有するキャップと、前記蒸気排出通路を遮蔽すべく前記ケースとキャップとの間に介在される板状基部に設けられるスリット孔にリード弁体を振動可能に取り付けたリード笛体と、を具備する、ことを特徴とする圧力鍋の圧力調整装置。
【請求項２】
請求項１記載の圧力鍋の圧力調整装置において、
前記蒸気排出口は、おもりに回転を与えるための勾配面を有することを特徴とする圧力鍋の圧力調整装置。
【請求項３】
請求項１記載の圧力鍋の圧力調整装置において、
前記リード笛体に複数の異なるスリット孔を設けると共に、各スリット孔に振幅の異なるリード弁体を取り付けた、ことを特徴とする圧力鍋の圧力調整装置。
【請求項４】
請求項１又は３記載の圧力鍋の圧力調整装置において、
前記リード笛体の板状基部を円板状に形成すると共に、この板状基部の外周における非対向位置に大きさの異なる切欠き部を形成し、ケースには、前記切欠き部に係合可能な突起を突設してなる、ことを特徴とする圧力鍋の圧力調整装置。
【請求項５】
請求項１記載の圧力鍋の圧力調整装置において、
前記おもりコアに、平坦状頂部と、この平坦状頂部の周辺から拡開テーパ状に延在するテーパ面部と、このテーパ面部の下端から垂下され、蒸気排出通路の内側面に圧入装着される円筒状胴部を具備し、前記平坦状頂部及びテーパ面部に、蒸気連通口を穿設してなる、ことを特徴とする圧力鍋の圧力調整装置。
【請求項６】
請求項１又は５記載の圧力鍋の圧力調整装置において、
前記ケースを、下方が開口する略ドーム状に形成すると共に、このケースの開口端内面に少なくとも３個の係止突起を突設し、
おもりコアに、蒸気排出通路の内側面に圧入装着される円筒状胴部を形成すると共に、この円筒状胴部の下端に弾性変形可能な外向き円弧状の係止受け片を形成し、
ノズルの外周との間に蒸気排出用隙間を有するおもり体を、前記係止突起と係止受け片に圧挿固定してなる、ことを特徴とする圧力鍋の圧力調整装置。
【発明の詳細な説明】
【０００１】
【発明の属する技術分野】
この発明は、圧力鍋の圧力調整装置に関するものである。
【０００２】
【従来の技術】
従来のこの種の圧力鍋の圧力調整装置は、圧力鍋の蓋部に形成される排気口に取り付けられるノズルと、このノズルの上端に形成される弁座部を開閉するニードル弁と、前記弁座部に前記ニードル弁を常時閉塞する重量を有すると共に、鉛直軸に対して回転可能なおもりとで主に構成されている。
【０００３】
このように構成される圧力鍋の圧力調整装置は、圧力鍋内が所定圧力以上になった場合に、おもり部に形成された蒸気排出口から蒸気を排出して圧力鍋内の圧力を調整すると共に、おもりを回転させて使用者に蒸気の排出状態を認識させることができる。
【０００４】
【発明が解決しようとする課題】
しかしながら、従来のこの種の圧力調整装置においては、圧力鍋内の蒸気を排出する際に発する音は、高音の汽笛音で、使用者に対して恐怖心を抱かせる音であった。そのため、この音が原因で圧力鍋を嫌う人が多いという問題があった。
【０００５】
この発明は上記事情に鑑みなされたもので、圧力鍋から排出される蒸気による音を和らげることにより、使用者の蒸気の排出音に対する恐怖心を和らげて、圧力鍋を取扱い易くした圧力鍋の圧力調整装置を提供することを目的とするものである。
【０００６】
【課題を解決するための手段】
上記目的を達成するために、請求項１記載の発明は、圧力鍋の蓋部に形成される排気口に取り付けられるノズルと、このノズルの上端に形成される弁座部を開閉するニードル弁と、前記弁座部に前記ニードル弁を常時閉塞する重量を有すると共に、鉛直軸に対して回転可能なおもりとを具備する圧力鍋の圧力調整装置において、前記おもりは、前記ノズルの上方部及びこの上方部に連なる外側部を包囲するケースと、前記ケースにて形成される蒸気排出通路内に配設され、蒸気排出通路を連通する連通口を有するおもりコアと、前記蒸気排出通路の上方側開口を閉塞すると共に、側方に蒸気排出口を有するキャップと、前記蒸気排出通路を遮蔽すべく前記ケースとキャップとの間に介在される板状基部に設けられるスリット孔にリード弁体を振動可能に取り付けたリード笛体と、を具備する、ことを特徴とする。
【０００７】
このように構成することにより、圧力鍋内から排出された蒸気が、ケースの蒸気排出通路内に配設されるおもりコアに穿設された連通口を通過し、蒸気排出通路を遮蔽するリード笛体の板状基部のスリット孔を通過する際に、リード弁体を振動させるので、蒸気の排出に伴って汽笛音に比べて低音のリード音を発することができる。また、圧力鍋内から排出された蒸気の一部は、おもりコアの連通口を通らずに下方に流れるので、蒸気圧が排出口側に集中するのを分散することができ、おもりにかかる圧力のバランスを調整し、リード音を正常に発せさせることができる。また、圧力鍋内から吹き出る煮汁があっても、おもりコアによって蒸気排出口側への浸入を抑制することができる。
【０００８】
請求項２記載の発明は、請求項１記載の圧力鍋の圧力調整装置において、前記蒸気排出口は、おもりに回転を与えるための勾配面を有することを特徴とする。
【０００９】
このように構成することにより、圧力鍋内の蒸気がノズルから排出され、キャップの蒸気排出口から外部に排出される際、蒸気が蒸気排出口に形成された勾配面に衝突して排出されるので、おもりを円滑に回転させることができる。
【００１０】
請求項３記載の発明は、請求項１記載の圧力鍋の圧力調整装置において、前記リード笛体に複数の異なるスリット孔を設けると共に、各スリット孔に振幅の異なるリード弁体を取り付けた、ことを特徴とする。
【００１１】
このように構成することにより、圧力鍋内から排出される蒸気が異なるスリット孔を通過する際、振幅の異なるリード弁体を振動させるので、二つ以上の高さの異なる音を同時に響かせた和音を発して蒸気の排出を使用者に認識させることができる。
【００１２】
請求項４記載の発明は、請求項１又は３に記載の圧力鍋の圧力調整装置において、前記リード笛体の板状基部を円板状に形成すると共に、この板状基部の外周における非対向位置に大きさの異なる切欠き部を形成し、ケースには、前記切欠き部に係合可能な突起を突設してなる、ことを特徴とする。
【００１３】
このように構成することにより、板状基部の外周における非対向位置に大きさの異なる切欠き部を形成すると共に、ケースの上部に板状基部の切欠きに係合可能な突起を突設するので、リード笛体の取り付け向きを間違えることなく取り付けることができる。
【００１４】
請求項５記載の発明は、請求項１記載の圧力鍋の圧力調整装置において、前記おもりコアに、平坦状頂部と、この平坦状頂部の周辺から拡開テーパ状に延在するテーパ面部と、このテーパ面部の下端から垂下され、蒸気排出通路の内側面に圧入装着される円筒状胴部を具備し、前記平坦状頂部及びテーパ面部に、蒸気連通口を穿設してなる、ことを特徴とする。
【００１５】
このように構成することにより、ノズルから排出された蒸気を、おもりコアの平坦状頂部及びテーパー面部に穿設された蒸気連通口を通過させて整流化させてリード笛体のスリット孔を通過させることができるので、リード弁体の振動を円滑にして連続したリード音を発することができる。
【００１６】
請求項６記載の発明は、請求項１又は５記載の圧力鍋の圧力調整装置において、前記ケースを、下方が開口する略ドーム状に形成すると共に、このケースの開口端内面に少なくとも３個の係止突起を突設し、おもりコアに、上記排出通路の内側面に圧入装着される円筒状胴部を形成すると共に、この円筒状胴部の下端に弾性変形可能な外向き円弧状の係止受け片を形成し、ノズルの外周との間に上記排出用隙間を有するおもり体を、前記係止突起と係止受け片に圧挿固定してなる、ことを特徴とする。
【００１７】
このように構成することにより、おもり板の取付を容易かつ確実にすることができる。また、おもりの重心を下方側におくことができるので、おもりを安定させた状態で、圧力鍋の蓋部に装着することができる。
【００１８】
【発明の実施の形態】
以下に、この発明に係る圧力鍋の圧力調整装置の実施形態について、添付図面を参照して詳細に説明する。
【００１９】
図１は、この発明に係る圧力調整装置を装着した圧力鍋の一例を示す側面図、図２は、圧力調整装置の一例を示す拡大断面図、図３は、圧力調整装置の要部を示す分解斜視図である。
【００２０】
上記圧力調整装置１は、圧力鍋２の蓋部３に形成される排気口３ａに取り付けられるノズル４と、このノズル４の上端に形成される弁座部５を開閉するニードル弁１０と、弁座部５にニードル弁１０を常時閉塞する重量を有すると共に、鉛直軸に対して回転可能なおもり２０とで主要部が構成されている。
【００２１】
上記おもり２０は、ノズル４の上方部及びこの上方部に連なる外側部を包囲するケース３０と、ケース３０にて形成される蒸気排出通路３１内に配設され、蒸気排出通路３１を連通する連通口４１，４２を有するおもりコア４０と、ニードル弁１０に着脱可能に連結され、蒸気排出通路３１の上方側開口を閉塞すると共に、側方に蒸気排出口５１を有するキャップ５０と、蒸気排出通路３１を遮蔽すべくケース３０とキャップ５０との間に介在される板状基部６１に設けられるスリット孔６２，６３にリード弁体６４，６５を振動可能に取り付けたリード笛体６０と、おもり２０に重量を持たせるおもり体７０とを具備している。
【００２２】
この場合、ニードル弁１０は、ノズル４の弁座部５に開閉可能に就座する截頭円錐状の弁体１１を下端に設けた弁軸１２からなり、弁軸１２における弁体１１側にローレット部１３が設けられ、弁軸１２の上端側に雄ねじ部１４が設けられている。このように構成されるニードル弁１０は、弁軸１２がおもりコア４０、ケース３０及びリード笛体６０を貫通した状態で、上端側の雄ねじ部１４に、キャップ５０の取付部に圧入されたスリーブ５２がねじ結合されている。
【００２３】
上記キャップ５０は、図２ないし図４に示すように、蒸気排出通路３１を有するケース３０の上端部を覆う円形状のキャップ本体５３と、このキャップ本体５３の上面中心部から起立する円柱部５４の上端に上方に向かって拡開する摘み部５５を設けた摘み５６とで主に構成される合成樹脂製材料にて形成されている。このように、キャップ本体５３の上面中心部から起立する円柱部５４の上端に上方に向かって拡開する摘み部５５を設けて摘み５６を形成することにより、調理中に高温となる圧力鍋２からの熱により摘み５６が熱くなるのを防止することができる。
【００２４】
また、キャップ本体５３の下部開口部側には、蒸気排出空間５７が設けられており、周方向に沿う等間隔位置には、蒸気排出口５１が設けられている。この場合、各蒸気排出口５１には、おもり２０の回転を円滑にするために、蒸気排出口５１の入口側すなわち蒸気排出空間５７側から出口側すなわち外方側に向かって狭小となる同一の勾配面５８が形成されている。また、キャップ本体５３の蒸気排出空間５７の中心部には、円柱部５４に向かって取付孔５３ａが穿設されている。この取付孔５３ａには、ニードル弁１０にねじ結合されるスリーブ５２の外周面に形成された凹凸細条５２ａを嵌挿（圧入）する大径孔５３ｂが設けられている。
【００２５】
上記ケース３０は、図２、図３及び図６に示すように、下方が開口する略ドーム状に形成される合成樹脂製材料にて形成されている。この場合、ケース３０の頂部の中心位置には、ニードル弁１０を貫通するハブ３２が設けられ、このハブ３２と蒸気排出通路３１を形成する円筒壁３３とは、４本の連結腕片３４にて連結されている。また、ケース３０の上端面には、リード笛体６０の板状基部６１の外周における非対向位置に形成された大きさの異なる切欠き部６６，６７に係合可能な突起３５，３６が突設されている。更に、ケース３０の開口端内面には、おもり板７０を係止するための少なくとも３個の係止突起３７が突設されている。この場合、係止突起３７は先端部が円弧状に形成されている。
【００２６】
上記おもりコア４０は、図２、図３及び図７に示すように、円形に形成される平坦状頂部４３と、この平坦状頂部４３の周辺から下方に向かって拡開テーパ状に延在するテーパ面部４４と、このテーパ面部４４の下端から垂下され、蒸気排出通路３１の内側面に圧入装着される円筒状胴部４５と、この円筒状胴部４５の下端から外方に向かって突設される弾性変形可能な外向き円弧状の係止受け片４６とを具備する例えばステンレス鋼製材料にて形成されている。この場合、平坦状頂部４３の中心位置にはニードル弁１０を貫通する貫通孔４７が穿設され、この貫通孔４７の外周部位におけるケース３０の連結腕片３４と干渉しない部位には、４個の蒸気連通口４１が穿設されている。また、テーパ面部４４の周面には、蒸気連通口４１とずれた位置例えば隣接する蒸気連通口４１の中間位置の半径方向の線上に位置する４個の蒸気連通口４２が穿設されている。
【００２７】
このように、おもりコア４０に、平坦状頂部４３と、この平坦状頂部４３の周辺から下方に向かって拡開テーパ状に延在するテーパ面部４４と、このテーパ面部４４の下端から垂下され、蒸気排出通路３１の内側面に圧入装着される円筒状胴部４５とを設け、平坦状頂部４３及びテーパ面部４４に蒸気連通口４１，４２を設けることにより、ノズル４から蒸気排出通路３１内に噴射される蒸気が蒸気連通口４１，４２を通る際、蒸気は整流化されて、上方に配設されるリード笛体６０のスリット孔６２，６３を通過して蒸気排出口５１へ流れる。また、ノズル４から蒸気排出通路３１内に噴射される蒸気の一部は、おもりコア４０によって遮られて下方に流れ、ケース３０の下部開口部内に配設されたおもり板７０とノズル４との隙間６から外部に排出される。したがって、ノズル４から蒸気排出通路３１内に噴射される蒸気を、上方のリード笛体６０のスリット孔６２，６３を介して蒸気排出口５１から外部へ排出するものと、おもり板７０とノズル４との隙間６から外部に排出されるものとに分散することができるので、おもり２０にかかる蒸気の圧力のバランスを調整することができる。また、圧力鍋２内から吹き出る煮汁があっても、おもりコア４０によって蒸気排出口５１側への浸入を抑制することができる。
【００２８】
上記おもり体７０は、図２及び図３に示すように、ケース３０の下部開口部３８の内周径より若干小径の円板状をなす例えばステンレス鋼製の３枚のおもり板７１，７２，７３にて形成されて、おもり２０全体の重量が所定の値となるように設定されている。このうち２枚のおもり板７１，７２は同一の内径７４を有し、残りの１枚のおもり板７３は、２枚のおもり板７１，７２の内径７４より大径の内径７５を有し、２枚のおもり板７１，７２の間に介在され、かつ、内径７５内に、弾性変形可能な抜け止めリング７６が配設されている。このように形成されるおもり体７０すなわちおもり板７１，７２，７３は、ケース３０の下部開口部３８に突設された係止突起３７を乗り越えるようにしてケース３０の下部開口部３８の内周面に圧挿されると共に、おもりコア４０の係止受け片４６と係止突起３７とで挟持された状態でケース３０の下部開口部３８内に取り付けられる。この状態で、ノズル４の外周に設けられた小径段部４ａとおもり板７１，７２，７３の内径７４，７５との間に、蒸気を外部に排出する隙間６が形成される。
【００２９】
このように、おもり板７１，７２，７３を略ドーム状に形成されたケース３０の下部開口部３８に配設することにより、おもり板７１，７２，７３の取付を容易かつ確実にすることができる。また、おもり２０の重心を下方側におくことができるので、おもり２０を安定させた状態で、圧力鍋２の蓋部３に装着することができる。
【００３０】
一方、リード笛体６０は、図２、図３及び図５に示すように、蒸気排出通路３１の上方開口部を遮蔽すべくケース３０とキャップ５０との間に介在される円形の例えば鉛入黄銅板にて形成される板状基部６１と、この板状基部６１に設けられる異なる長さ寸法を有する２個のスリット孔６２，６３をそれぞれ塞ぐように一端部が例えばスポット溶接等によって振動可能に取り付けられる長さ及び振幅の異なる２個のリード弁体６４，６５とで主に構成されている。この場合、リード弁体６４，６５は、板状基部６１の下面側に取り付けられており、スリット孔６２，６３を通過する蒸気の圧力によってリード弁体６４，６５が振動することで、振幅の異なるリード弁体６４，６５が振動するので、使用者に恐怖感を抱かせる心配のない汽笛音に比べて低音の二つ高さの異なる音を同時に響かせた和音を発して蒸気の排出を使用者に認識させることができる。ここでは、異なる長さ寸法を有する２個のスリット孔６２，６３と振幅の異なる２個のリード弁体６４，６５とを設ける場合について説明したが、更に、異なる長さ寸法のスリット孔と異なる振幅を有するリード弁体を追加して３和音のリード音を発するようにすれば、更に、音色のよい３和音のリード音を発することができる。なお、スリット孔とリード弁体の数を、１個あるいは４個以上にすることも可能である。
【００３１】
また、リード笛体６０の板状基部６１の中心部には、ニードル弁１０の弁軸１２を貫通する貫通孔６８が穿設されている。また、板状基部６１の外周における非対向位置には、上記ケース３０の上端に突設された突起３５，３６に係合可能な大きさの異なる切欠き部６６，６７が形成されている。このように、板状基部６１の外周の非対向位置に大きさの異なる切欠き部６６，６７を設け、これら切欠き部６６，６７をケース３０の上端に突設された突起３５，３６に係合させる理由は、リード笛体６０のセット位置を表裏逆にするのを防止するためである。
【００３２】
上記のように形成されるニードル弁１０、ケース３０、おもりコア４０、キャップ５０、おもり板７１，７２，７３（おもり体７０）及びリード笛体６０を組み付けるには、まず、ニードル弁１０の弁軸１２をおもりコア４０の貫通孔４７に貫通させた後、弁軸１２をケース３０のハブ３２に貫通させると共に、おもりコア４０の円筒状胴部４５を蒸気排出通路３１の内側面に圧入装着する。次に、ケース３０の上方に突出する弁軸１２にリード笛体６０の板状基部６１に設けられた貫通孔６８を遊嵌すると共に、リード笛体６０に設けられた切欠き部６６，６７をケース３０の上端に突設された突起３５，３６に係合させた後、弁軸１２の先端側の雄ねじ部１４に、キャップ５０の取付孔５３ａに嵌挿されたスリーブ５２をねじ結合してケース３０とキャップ５０とでリード笛体６０を挟持固定する。一方、おもり板７１，７２，７３は、ケース３０の下端開口部３８内に圧挿入してケース３０に突設された係止突起３７とおもりコア４０の係止受け片４６とで挟持固定する。この際、中間のおもり板７３の内径７５内に、ノズル４の小径段部４ａに係合し得る弾性変形可能な抜け止めリング７６が介在される。
【００３３】
上記のようにして組み付けられたおもり２０とニードル弁１０を、ノズル４に装着するには、先端に向かって縮径テーパ面４ｂを有するノズル４の先端部４ｃを、抜け止めリング７６の弾性力に抗しておもり板７１，７２，７３の内径７４，７５内に嵌挿させて取り付ける（図２参照）。この状態において、抜け止めリング７６がノズル４の小径段部４ａに係合するので、おもり２０は不用意にノズル４から外れたり、圧力鍋２から排出される蒸気の噴射圧力によって外れる虞はない。
【００３４】
上記のように構成されるこの発明の圧力調整装置によれば、圧力鍋２内の圧力が所定圧力以上になると、圧力鍋２内で発生した蒸気がノズル４を通り、蒸気の圧力によりノズル４の弁座部５を塞ぐニードル弁１０の弁体１１を押し上げて、蒸気排出通路３１内に排出され、おもりコア４０に設けられた連通口４１，４２を通ってリード笛体６０のスリット孔６２，６３を通過して蒸気排出口５１から外部に排出される。この際、スリット孔６２，６３を通過する蒸気圧力によってリード弁体６４，６５が振動して汽笛音より低音のハーモニカと同様なリード音を発して、恐怖感を抱かせることなく、蒸気の排出を使用者に認識させることができる。しかも、リード弁体６４，６５は異なる振幅を有するので、高さの異なる音を同時に響かせた和音を発して蒸気の排出を使用者に認識させることができる。また、蒸気は蒸気排出口５１から外部に排出される際に、蒸気排出口５１に設けられた勾配面５８に衝突するので、その衝突力によっておもり２０が鉛直軸に対して連続的に回転し、この回転によって蒸気の排出を認識させることができる。すなわち、リード笛体６０のリード音とおもり２０の回転の双方によって圧力鍋２の調理状況を使用者に知らせることができる。
【００３５】
なお、蒸気排出通路３１内に排出された蒸気の一部は、おもりコア４０によって遮られて下方に流れ、ノズル４とおもり板７１，７２，７３の内径７４，７５との隙間６を通って外部に排出されるので、蒸気圧が蒸気排出口５１側に集中するのを分散することができ、おもり２０にかかる圧力のバランスを調整することができる。
【００３６】
圧力鍋２を使用した後に、リード笛体６０を掃除する場合は、摘み５６を持ってキャップ５０を回転してニードル弁１０からキャップ５０との係合を解けば、リード笛体６０をニードル弁１０の弁軸１２及びケース３０の突起３５，３６から取り外して、洗浄することができる。したがって、リード笛体６０の洗浄を容易にすることができ、リード笛体６０の寿命の増大を図ることができる。
【００３７】
【発明の効果】
以上に詳述したように、この発明の圧力鍋の圧力調整装置は、上記のように構成されているので、以下のような優れた効果が得られる。
【００３８】
（１）請求項１記載の発明によれば、圧力鍋内から排出された蒸気が、ケースの蒸気排出通路内に配設されるおもりコアに穿設された連通口を通過し、蒸気排出通路を遮蔽するリード笛体の板状基部のスリット孔を通過する際に、リード弁体を振動させるので、蒸気の排出に伴って汽笛音に比べて低音のリード音を発することができると共に、圧力鍋内から排出された蒸気の一部は、おもりコアの連通口を通らずに下方に流れるので、蒸気圧が排出口側に集中するのを分散することができ、おもりにかかる圧力のバランスを調整し、リード音を正常に発せさせることができる。また、圧力鍋内から吹き出る煮汁があっても、おもりコアによって蒸気排出口側への浸入を抑制することができる。
【００３９】
（２）請求項２記載の発明によれば、圧力鍋内の蒸気がノズルから排出され、キャップの蒸気排出口から外部に排出される際、蒸気が蒸気排出口に形成された勾配面に衝突して排出されるので、上記（１）に加えて、おもりを円滑に回転させることができる。
【００４０】
（３）請求項３記載の発明によれば、圧力鍋内から排出される蒸気が異なるスリット孔を通過する際、振動幅の異なるリード弁体を振動させるので、二つ以上の高さの異なる音を同時に響かせた和音を発して蒸気の排出を使用者に認識させることができる。
【００４１】
（４）請求項４記載の発明によれば、板状基部の外周における非対向位置に大きさの異なる切欠き部を形成すると共に、ケースの上部に板状基部の切欠きに係合可能な突起を突設するので、おもりを組み立てる際にリード笛体の取り付け向きを間違えることなく取り付けることができる。
【００４２】
（５）請求項５記載の発明によれば、ノズルから排出された蒸気を、おもりコアの平坦状頂部及びテーパー面部に穿設された蒸気連通口を通過させて整流化させてリード笛体のスリット孔を通過させることができるので、リード弁体の振動を円滑にして連続したリード音を発することができ、更に、使用者の恐怖心を和らげることができる。
【００４３】
（６）請求項６記載の発明によれば、おもり板の取付を容易かつ確実にすることができると共に、おもりの重心を下方側におくことができるので、おもりを安定させた状態で、圧力鍋の蓋部に装着することができる。
【図面の簡単な説明】
【図１】  この発明の圧力鍋の圧力調整装置の装着状態を示す側面図である。
【図２】  上記圧力調整装置の一例を示す拡大断面図である。
【図３】  上記圧力調整装置の分解斜視図である。
【図４】  この発明におけるキャップの断面図（ａ）及び底面図（ｂ）である。
【図５】  この発明におけるリード笛体の一例を示す平面図（ａ）及び（ａ）のＩ−Ｉ線に沿う断面図（ｂ）である。
【図６】  この発明におけるケースの平面図（ａ）、正面図（ｂ）及び底面図（ｃ）である。
【図７】  この発明におけるおもりコアの平面図（ａ）及びその縦断面図（ｂ）である。
【符号の説明】
２  圧力鍋
３  蓋部
４  ノズル
５  弁座部
６  隙間
１０  ニードル弁
２０  おもり
３０  ケース
３１  蒸気排出通路
３５，３６  突起
３７  係止突起
３８  下部開口部
４０  おもりコア
４１，４２  連通口
４３  平坦状頂部
４４  テーパ面部
４５  円筒状胴部
４６  係止受け片
５０  キャップ
５１  蒸気排出口
５８  勾配面
６０  リード笛体
６１  板状基部
６２，６３  スリット孔
６４，６５  リード弁体
６６，６７  切欠き部
７０  おもり体
７１，７２，７３  おもり板
【図１】
0003635326.tif 000002
【図２】
0003635326.tif 000003
【図３】
0003635326.tif 000004
【図４】
0003635326.tif 000005
【図５】
0003635326.tif 000006
【図６】
0003635326.tif 000007
【図７】
0003635326.tif 000008